(57)【要約】      （修正有）【課題】魚釣用の浮きを回収する際、複数の棒状体の開きすぎによる浮きの脱落を防止し、浮き回収の確実性を向上する浮き回収器を提供する。【解決手段】基部１１と、前記基部１１に接続されたシャフト部と、前記基部１１に接続された複数の棒状体１２を有し、前記棒状体１２は、前記シャフト部の周囲を取り囲むように配置され、前記棒状体１２の長手方向途中位置に固定され、かつ前記棒状体１２がシャフト部材から離間する移動を規制するリング部材２０を備えている。【選択図】図２
0003202221.tif 000002
【実用新案登録請求の範囲】
【請求項１】
釣用浮きの回収器であって、
基部と、前記基部に接続されたシャフト部材と、前記基部に接続された複数の棒状体を有し、
前記棒状体は、前記シャフト部材の周囲を取り囲むように配置され、
前記棒状体の長手方向途中位置に固定され、かつ前記棒状体がシャフト部材から離間する移動を規制するリング部材を備えた、
ことを特徴とする釣用浮きの回収器。
【請求項２】
前記棒状体は、前記シャフト部材の軸線方向に対し鋭角となるよう前記基部に接続固定されている、
ことを特徴とする請求項１に記載の釣用浮きの回収器。
【請求項３】
前記鋭角は、５〜１０度である、
ことを特徴とする請求項２に記載の釣用浮きの回収器。
【請求項４】
前記棒状体は、前記シャフト部材と軸線方向において略平行となるよう前記基部に接続固定されている、
ことを特徴とする請求項１に記載の釣用浮きの回収器。
【請求項５】
前記棒状体に対する前記リング部材の固定位置は、前記棒状体の長手方向において調節可能である、
ことを特徴とする請求項１ないし４のいずれか１項に記載の釣用浮きの回収器。
【請求項６】
前記リング部材は、周方向９０度の間隔で、前記棒状体を挿入可能な４つの孔を有する、
ことを特徴とする請求項１ないし３のいずれか１項に記載の釣用浮きの回収器。
【請求項７】
前記リング部材は、周方向１２０度の間隔で、前記棒状体を挿入可能な３つの孔を有する、
ことを特徴とする請求項１ないし３のいずれか１項に記載の釣用浮きの回収器。
【請求項８】
前記リング部材は、周方向１８０度の間隔で、前記棒状体を挿入可能な２つの孔を有する、
ことを特徴とする請求項１ないし３のいずれか１項に記載の釣用浮きの回収器。
【請求項９】
前記リング部材は、周方向に２〜４つの長孔を有し、前記長孔内に複数の前記棒状体を挿入可能である、
ことを特徴とする請求項１ないし４のいずれか１項に記載の釣用浮きの回収器。
【請求項１０】
前記リング部材は、弾性材料で構成されている、
ことを特徴とする請求項１ないし４のいずれか１項に記載の釣用浮きの回収器。
【請求項１１】
前記リング部材は、その中心位置において、前記シャフト部材を挿入可能な孔を有する、
ことを特徴とする請求項１ないし４のいずれか１項に記載の釣用浮きの回収器。
【考案の詳細な説明】
【技術分野】
【０００１】
本考案は、魚釣りの最中に何らかの原因で釣り糸から外れてしまい、水面或いは水中に浮揚する魚釣用浮きを回収する魚釣用浮き回収器に関する。
【背景技術】
【０００２】
従来の魚釣用浮き回収器は、魚釣用の浮き（以下、浮き）を回収するための複数の棒状体が、放射状に突出するようにして基部へ固定されている。例えば、特許文献１、特許文献２、特許文献３などがある。
【０００３】
特許文献１の浮き回収器は、シャフトと、浮き回収部と、ロック手段と、を備える。シャフトは、投入側先端に錘体が装着され、他端側に釣糸接続部が形成される。浮き回収部は、シャフトの長手方向へ移動可能に取り付くスライド部材と、シャフトに沿ってスライド部材に軸着された複数本の骨材（棒状体に該当する）と、各骨材を釣糸接続部側へ一体的に放射状に展開し、且つ各骨材を一体的に畳む架渡し部材とで構成されている。ロック手段は、浮き回収部の展開時および畳み時に前記の浮き回収部をシャフト上の一定位置に保持するものである。しかしながら、シャフト、浮き回収部のスライド部材、ロック手段を備えるので、構造が複雑でコスト高となる課題があった。
【０００４】
特許文献２の浮き回収器は、浮き回収器の沈下速度が１ｃｍ〜３０ｃｍ／秒となるようにすることで、水に浮いた浮きだけでなく、例えば根掛りで水中に沈んだ状態で留まってしまう浮きも回収できるように工夫されている。しかしながら、骨材が開き過ぎることから回収すべき浮きがすり抜けてしまうこと、さらには、強い水の抵抗を受けた骨材が曲がったり、変形したりする課題がある。
【０００５】
特許文献３の浮き回収器は、複数の棒状体による開口形状を保持するために、口縁周囲部分に沿って閉鎖周回枠構造を備えている。その閉鎖周回枠構造とは、例えば金属製の細いワイヤ、紐、合成樹脂製の紐などの索条体で、複数の骨材の先端側を周回枠状に連結する構造である。しかしながら、各棒状体はワイヤなどの索条体の位置から外側へ突出する長さが短い、すなわち浮きを引っ掛ける棒状体の長さが短いために、浮きの回収がしずらい、と言う課題がある。
【先行技術文献】
【特許文献】
【０００６】
【特許文献１】特開２００１−２９２６７８号公報
【特許文献２】特開２００２−２７２３４０号公報
【特許文献３】実用新案登録第３１１８１５０号公報
【考案の概要】
【考案が解決しようとする課題】
【０００７】
本願考案は、上記した従来技術が有する課題を解決し、浮きを回収する際、複数の棒状体が水の抵抗によって大きく開き過ぎることを防止し、浮き回収の確実性を向上する浮き回収器を提供することを目的とするものである。
【課題を解決するための手段】
【０００８】
本考案は、釣用浮きの回収器であって、基部と、前記基部に接続されたシャフト部と、前記基部に接続された複数の棒状体を有し、前記棒状体は、前記シャフト部の周囲を取り囲むように配置され、前記棒状体の長手方向途中位置に固定され、かつ前記棒状体がシャフト部材から離間する移動を規制するリング部材を備えた、ことを特徴とする。
【考案の効果】
【０００９】
本考案によれば、浮きを回収する際、水の抵抗によって棒状体が大きく開いてしまうことを防止し、これによって、浮き回収の確実性を向上することができる。
【図面の簡単な説明】
【００１０】
【図１】本考案の実施例１に係る浮き回収器を使用する状態を示す斜視図である。
【図２】本考案の実施例１に係る浮き回収器の組立斜視図である。
【図３】本考案の実施例１に係る浮き回収器を使用する状態を示す斜視図である。
【図４】本考案の実施例１に係る浮き回収器と従来品とを比較するための側面図である。
【図５】本考案の実施例１に係る浮き回収器を使用する状態を示す側面図である。
【図６】本考案における実施例１の変形例１に係る浮き回収器を示す斜視図である。
【図７】本考案における実施例１の変形例２に係る浮き回収器を示す組立斜視図である。
【図８】本考案における実施例１の変形例３に係る浮き回収器を示す組立斜視図である。
【図９】本考案の実施例２に係る浮き回収器の組立斜視図である。
【考案を実施するための形態】
【００１１】
以下、本考案の実施形態に係る浮き回収器について図面を参照して説明する。ここで使用する図面は、図１から図９である。
【００１２】
実施例１
図１から図８は、本考案の実施例１及びその変形例１〜３を示している。
【００１３】
浮き回収器１０は、根掛りなどの何らかの事態によって釣糸から切り離された浮き３１を回収するためのものである。浮き３１や釣糸３０を引っ掛けて回収するための複数の棒状体１２,１２,・・・を、基部１１へ放射状に取り付けて固定している。さらに、回収用ラインである釣糸３０を連結して引っ張るためのシャフト部材１３を、複数の棒状体１２,１２,・・・のほぼ中心に位置するように前記の基部１１へ取り付けて固定している。
【００１４】
基部１１は、浮き回収器１０の先端部を構成するもので、本実施例では略円錐形状をなしている。略円錐形状の後端側に、円周に沿って複数の棒状体１２,１２,・・・を放射状に固定するための複数の穴部を形成している。さらに、略円錐形状の後端側のほぼ中心に、シャフト部材１３の先端を差し込んで固定するためのシャフト部材取付用穴部を形成している。シャフト部材１３の後端は、回収用ラインである釣糸３０を結ぶための釣り糸係止部１４を備えている。
【００１５】
本実施例では、２０本の棒状体１２を基部１１の穴部へ差し込んで接着剤で固定している。各棒状体１２の長さは約１７５ミリメートル、直径約２ミリメートルである。また、棒状体１２の材質は、ポリカーボネートを採用しているが、ポリエチレン、ポリ塩化ビニル等の合成樹脂、あるいはアルミ、チタンなどの金属、その他の材料を用いることができる。なお、棒状体１２の材質、形状、本数などは、特に限定されない。
また、固定手段も接着剤に限定されることはない。たとえば、棒状体１２の先端部分に雄ねじを、基部１１に雌ねじを設定しておいてネジ止めすることも可能である。
棒状体１２は、シャフト部材１３の軸線方向に対して鋭角となるよう（外形が円錐形状をなすように）基部１１に固定されているが、その角度は、５〜１０度が適切である。
【００１６】
シャフト部材１３は、釣糸３０を連結して浮き回収器１０を引っ張るための剛性を要する部材である。その材質は、ポリエチレン、ポリ塩化ビニル等の合成樹脂、あるいはアルミ、チタンなどの金属、その他の材料を用いることができる。本実施例では、直径６ミリメートルで、長さ１７５ミリメートルである。なお、シャフト部１３の材質、形状などは、特に限定されない。
また、シャフト部材１３の外側には、直径１７ｍｍで、長さ８７．５ｍｍの管状の浮力体１５を嵌め込んでいる。浮力体１５は、発泡ＥＶＡを採用しているが、水中で浮力を有する材質であればよく、特に限定されない。また、浮力体１５そのものも場合によっては不要とすることができる。
【００１７】
浮き回収器１０は、本考案の主要部をなすリング部材２０を備えている。リング部材２０は、複数の棒状体１２,１２,・・・の周囲を外側から囲むように配置し、複数の棒状体１２,１２,・・・のうちの２本以上に固定する。リング部材２０は、複数の棒状体１２,１２,・・・の拡開を制限するものであり、各棒状体１２,１２,・・・に対する固定位置は、棒状体１２,１２,・・・の長手方向において移動可能としている。
【００１８】
本実施例では、リング部材２０を２０本の棒状体１２,１２,・・・のうちの４本に移動可能に固定している。リング部材２０は、円周方向においてほぼ等間隔（９０度）をあけて配置した４箇所に、棒状体１２,１２,・・・を挿入可能なリング固定用孔部２１,２１,・・・を形成している。リング固定用孔部２１は、棒状体１２を簡単に滑らない程度に通すほどの小さい径で形成することができる。すなわち、人が力を加えないと移動しない程度に棒状体１２に保持される構成である。なお、本実施例ではリング固定用孔部２１を等間隔に４カ所設けているが、等間隔に２カ所、３カ所、或いは５カ所以上であっても良く、また、全ての棒状体１２を挿入するようにしても良い。
リング部材２０は、例えばゴムなどの弾性部材であることが望ましい。リング固定用孔部２１,２１,・・・は弾性部材による弾性力によって、リング部材２０を棒状体１２,１２,・・・に移動可能に固定することができる。
【００１９】
以下、本実施例１の浮き回収器１０を用いて、水面或いは水中に浮揚する浮きを回収する動作を説明する。
釣竿に接続されている釣糸に浮き回収器１０を結び、水面或いは水中に浮揚する浮きをめがけて浮き回収器１０を投げ入れる。浮き回収器１０は、シャフト部材１３の浮力体１５によって、先端の基部１１が水中に沈むようにして水面にほぼ横になった状態で浮かぶ。
【００２０】
釣糸３０を引き寄せると、浮き回収器１０を引く力と水の抵抗で、複数の棒状体１２,１２,・・・が放射状に開こうとするが、複数の棒状体１２,１２,・・・は、リング部材２０によって拡開が規制されているため、一定の拡がり状態に抑制される。このため、捕まえた浮きを確実に引掛けた状態で回収することができる。
これに対し、図４（ｂ）、図５（ｂ）に示す従来品の場合には、本考案のようなリング部材２０が存在しないため、棒状体は大きく開いた状態になり、浮き３１を引っ掛けることができたとしてもすり抜けやすくなってしまう。
【００２１】
また本考案では、リング部材２０が、複数の棒状体１２,１２,・・・の長手方向に移動可能であるので、複数の棒状体１２,１２,・・・に対するリング部材２０の位置を移動して、水の流れなどの状況に応じて複数の棒状体１２,１２,・・・の開き具合を調整することができる。
【００２２】
さらに、リング部材２０が弾性部材である場合、浮き３１を引っ掛ける時に、釣り糸３０を強く引くことで複数の棒状体１２,１２,・・・が水の抵抗を受けて一時的に大きく開くことになり、その結果、浮き３１を捕まえる確実性がよりいっそう向上する。
【００２３】
図６に示すものは、実施例１の変形例１である。
この変形例では、長いシャフト１３を採用し、浮力体１５には別の浮力体１５Ａを延設している。回収する浮き３１の種類や回収のための距離などに応じて、このようなタイプの浮き回収器を使う場合もある。
【００２４】
図７に示すものは、実施例１の変形例２である。
この変形例では、リング部材２０として、円周方向に４つの長孔を有するリング部材２０Ａを採用している。実施例１にて採用していたリング部材２０におけるリング固定用孔部２１の代わりに、複数本の棒状体１２を長孔内に組み入れる構造によって、浮き３１の回収時における開き抑制を達成する。
なお、図示は省略するが、一本の棒状体１２を固定する円形孔と、複数本の棒状体１２を組み入れる長孔とを交互に配置するような形態を採用してもよい。
【００２５】
図８に示すものは、実施例１の変形例３である。
この変形例では、リング部材２０として、放射リング部材２０Ｂを採用している。実施例１にて採用していたリング部材２０におけるリング固定用孔部２１の代わりに、シャフト部１３（浮力体部１５）へ固定するための中央リング部とその中央リング部から放射状に伸ばした放射部が複数本の棒状体１２の外側へ位置する外リングをつなぐ構造にて、所定位置への固定と、浮き３１の回収時における開き抑制を達成する。
【００２６】
図示は省略するが、リング部材は、実施例１、変形例１、２と、上記変形例３の放射リングとを組み合わせた構成、即ち、シャフト部１３（浮力体部１５）および棒状体１２の両方へ固定部分（リング固定用孔部）を備えるものであってもよい。
【００２７】
実施例２
図９は、本考案の実施例２を示す斜視図である。
本実施例２が実施例１と相違する点は、基部１１に対する棒状体１２の固定構造である。
実施例２の棒状体１２は、図９（ａ）に示すとおり、シャフト部材１３とほぼ平行となるように、基部１１に固定されている。シャフト部材１３の材質は実施例１と同様であり、実施例１の変形例２と同様のリング部材（やや硬めの材質が望ましい）を用いることにより、図９（ｂ）に示すように、棒状体１２を、所定の大きさに拡げることができる。
実施例１に係る棒状体は、基部１１に対し、外形が円錐形状となるように固定されているため、収納時や持ち運び時に嵩張ってしまい不便であるが、実施例２では、通常状態において棒状体が閉じているため、嵩張らず収納や持ち運びに便利である。
【符号の説明】
【００２８】
１０；  浮き回収器
１０Ａ；浮き回収器（従来品）
１１；  基部
１２；  棒状体
１３；  シャフト部材
１３Ａ；延長シャフト
１４；  釣り糸系止部
１５；  浮力体部
２０；  リング部材
２０Ａ；長孔リング部材
２０Ｂ；放射リング部材
２１；  リング固定用孔部
３０；  釣糸
３１；  浮き
【図１】
0003202221.tif 000003
【図２】
0003202221.tif 000004
【図３】
0003202221.tif 000005
【図４】
0003202221.tif 000006
【図５】
0003202221.tif 000007
【図６】
0003202221.tif 000008
【図７】
0003202221.tif 000009
【図８】
0003202221.tif 000010
【図９】
0003202221.tif 000011